(57)【要約】【課題】アナログオーディオ処理回路の切り換え時に生じるパルスノイズを減少させる回路設計を提供する。【解決手段】アナログオーディオ処理回路は、現有のスイッチ回路の出力端上に、一組の分圧抵抗回路を追加し、この分圧抵抗回路の一端は、現有のスイッチ回路の出力端と連接し、もう一端は、参考電圧と連接される。分圧抵抗回路の各分圧点は、どれも、制御可能スイッチを連接し、制御可能スイッチのもう一端は、連接されて出力端となる。一つ目の制御可能スイッチは、主制御スイッチで、現有のスイッチ回路の切り換え時、主制御スイッチは、自動的に、暫時オフにし、その後、残りの制御可能スイッチは、一連の連続したショートパルスにより制御されて、第二スイッチ順序のオンから、最後のスイッチ順序のオフになり、更に、最後のスイッチのオンから、第二スイッチのオフになる。最後に、主制御スイッチがオンになり、よって、切り換えの目的が達成される。【選択図】図２
0003117606.tif 000002
【実用新案登録請求の範囲】
【請求項１】
アナログオーディオ処理回路の切り換え時に生じるパルスノイズを減少させる回路設計であって、
前記アナログオーディオ処理回路現有のスイッチ回路の出力端上に、一組の分圧抵抗回路を追加し、前記分圧抵抗回路の一端は、現有のスイッチ回路の出力端と連接し、もう一端は、参考電圧と連接され、前記分圧抵抗回路の各分圧点は、どれも、制御可能スイッチを連接し、前記制御可能スイッチのもう一端は、連接されて出力端となり；一つ目の前記制御可能スイッチは、主制御スイッチで、前記の現有のスイッチ回路の切り換え時、前記主制御スイッチは、自動的に、暫時オフにし、その後、残りの制御可能スイッチは、一連の連続したショートパルスにより制御されて、第二スイッチ順序のオンから、最後のスイッチ順序のオフになり、更に、最後のスイッチから、第二スイッチになり、最後に、前記主制御スイッチがオンになり、切り換えの目的が達成される
ことを特徴とする設計。
【考案の詳細な説明】
【技術分野】
【０００１】
本考案は、アナログオーディオ処理回路の改良に関するものであって、特に、アナログオーディオ処理回路の切り換え時に生じるパルスノイズを減少させる回路設計に関するものである。
【背景技術】
【０００２】
図１は、公知のアナログオーディオ処理回路を示す図で、信号Sは、左から入力バッファ１に入力され、オーディオ処理回路２とスイッチ回路３を経て、出力バッファ４に入力されて出力される。スイッチ回路３は、選択的に、オーディオ処理回路２の出力B、或いは、入力バッファ１の出力Aを、出力バッファ４の入力Dに入力する。図で示されるように、電圧参考回路５は、参考電圧Cを、入力バッファ１、オーディオ処理回路２、出力バッファ４に提供する。
【０００３】
一般に、入力バッファ１は、演算増幅器をバッファとし、出力バッファ４も、演算増幅器をバッファとし、オーディオ処理回路２は、音量、高音、低音、サラウンドサウンド効果、ステレオ等、約六個の演算増幅器を含む。
【０００４】
各演算増幅器は、オフセット電圧（offset  voltage）を生成し、オフセット電圧ΔV約１０ｍV、電圧参考回路５の参考電圧Cが４．５Vである場合、
入力バッファ１の出力A＝C＋ΔV＝４．５１０V
オーディオ処理回路２の出力B＝C＋６×ΔV＋X（Xは、サラウンドサウンド効果、ステレオサウンドで、約５０ｍV）であるから、B＝４．６１０Vである。
【０００５】
よって、スイッチ回路３が、オーディオ処理回路２の出力B、或いは、入力バッファ１の出力Aを切り換える時、１００ｍVの電圧差を生じ、これが、使用者がスイッチ回路３を起動、停止する時の「ボン」という音が生じる原因で、いわゆる、パルスノイズである。
【考案の開示】
【考案が解決しようとする課題】
【０００６】
本考案は、アナログオーディオ処理回路の切り換え時に生じるパルスノイズを減少させる回路設計を提供し、上述の問題を改善することを目的とする。
【課題を解決するための手段】
【０００７】
アナログオーディオ処理回路は、現有のスイッチ回路の出力端上に、一組の分圧抵抗回路を追加し、この分圧抵抗回路の一端は、現有のスイッチ回路の出力端と連接し、もう一端は、参考電圧と連接される。分圧抵抗回路の各分圧点は、どれも、制御可能スイッチを連接し、制御可能スイッチのもう一端は、連接されて出力端となる。一つ目の制御可能スイッチは、主制御スイッチで、現有のスイッチ回路の切り換え時、主制御スイッチは、自動的に、暫時オフにし、その後、残りの制御可能スイッチは、一連の連続したショートパルスにより制御されて、第二スイッチ順序のオンから、最後のスイッチ順序のオフになり、更に、最後のスイッチのオンから、第二スイッチのオフになる。最後に、主制御スイッチがオンになり、よって、切り換えの目的が達成される。
【考案の効果】
【０００８】
本考案により、アナログオーディオ処理回路の切り換え時に生じるパルスノイズを減少させることが可能である。
【考案を実施するための最良の形態】
【０００９】
図２は、本考案のアナログオーディオ処理回路の切り換え時に生じるパルスノイズを減少させる回路設計を示す図で、この設計は、図１のスイッチ回路３を代替するものである。Node_A、Node_B、NodeDは、それぞれ、図１のA、B、Cの三点に接続され、スイッチSW_AとSW_Bが、まず、切り換えられ、オーディオ処理回路２の出力B、或いは、入力バッファ１の出力Aを選択する。本考案は、別に、SW_D、SW_１、SW_２、SW_３、、、SW_３０、及び、抵抗器R１、R２、R３、、、R３０を加え、その連接は、図で示される。R３０とSW_３０の連接箇所は、Node_Cで、図１の電圧参考回路５の参考電圧C点に連接され、抵抗器R１、R２、R３、、R３０の抵抗は、どれも同じである。
【００１０】
スイッチSW_AとSW_Bの制御信号は、SWA、SWBで表示され、スイッチSW_D、SW_1、SW_２、SW_３、、、SW_３０の制御信号は、SWD、SW１、SW２、SW３、、、SW３０で表示される。SWA、SWBとSWD、SW1、SW２、SW３、、SW３０の波形は、図３で示される。
【００１１】
R３０とSW_３０の接続箇所Node_Cは、図１の参考電圧回路５の参考電圧C点に連接されるので、定電圧（例えば、４．５V）で維持され、よって、抵抗器R１、R２、、R３０上で、分圧効果を生成し、Node_Aが４．５１０Vで、且つ、SW_Aがオンの場合、SW_Bはオフで、抵抗器R１とR２間の接続箇所は、４．５０９６Vで、残りも類推できる。
【００１２】
図３中で、SWAが“１”から“０”、SWBが“０”から“１”に変化する時、即ち、入力バッファ１の出力Aから、オーディオ処理回路２の出力Bに切り換わる時、SWDの波形は、まず、“０”になる。SWDが“０”の時、SW１、SW２、SW３、、、SW３０の波形は、連続したショートパルスで、SW_１からSW_３０になった後、SW_３０から、SW１に戻る。これらのショートパルスは、スイッチSW_１、SW_２、SW_３、、、SW_３０をそれぞれ、オンにする。SW_１がオンの時、SWAは依然として“１”で、入力バッファ１の出力Aは、R１、SW_１を経て、Dに入力される。よって、入力バッファ１の出力Aは、抵抗器R１により、少し減衰する。SW_２がオンの時、SWAは“１”で、入力バッファ１の出力Aは、R１、R２、SW_２を経て、Dに入力され、これにより、入力バッファ１の出力Aは、R1＋R２により、更に減衰する。以下同様に、SWAが“１”から“０”に変化する時、入力バッファ１の出力Aは、抵抗器R１＋R２＋R３、、＋R３０により、減衰する。SWAが、“１”から“０”になり、SWBが“０”から“１”になる時、この時Dに入力される電圧は、参考電圧Cの４．５Vで、入力バッファ１の出力Aは、オーディオ処理回路２の出力Bに切り換わり、パルス波形は、SW３０からSW１に戻って、連続したショートパルスを形成し、オーディオ処理回路２の出力B（前述のように、４．６１０Vとする）は、R1＋R２＋R３、、、＋R３０により、減衰する（最初は、４．５V）。その後、次第に回復し、よって、使用者は、「ポン」という音を聞かなくてすむ。一旦、R１、SW_１に戻った後、次は、SWDが“１”に回復し、SW_Dがオンになり、オーディオ処理回路２の出力Bは、確実に、Dに入力され、使用者が回路を起動、停止して、切り換える目的を達成する。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】公知のアナログオーディオ処理回路図である。
【図２】本考案のスイッチ回路図である。
【図３】本考案の切り換えスイッチの波形図である。
【符号の説明】
【００１５】
１…入力バッファ
２…オーディオ処理回路
３…スイッチ回路
４…出力バッファ
５…電圧参考回路
【図１】
0003117606.tif 000003
【図２】
0003117606.tif 000004
【図３】
0003117606.tif 000005
【手続補正書】
【提出日】平成17年10月17日(2005.10.17)
【手続補正１】
【補正対象書類名】実用新案登録請求の範囲
【補正対象項目名】請求項１
【補正方法】変更
【補正の内容】
【請求項１】
アナログオーディオ処理回路の切り換え時に生じるパルスノイズを減少させる回路であって、
前記アナログオーディオ処理回路現有のスイッチ回路の出力端上に、一組の分圧抵抗回路を追加し、前記分圧抵抗回路の一端は、現有のスイッチ回路の出力端と連接し、もう一端は、参考電圧と連接され、前記分圧抵抗回路の各分圧点は、どれも、制御可能スイッチを連接し、前記制御可能スイッチのもう一端は、連接されて出力端となり；一つ目の前記制御可能スイッチは、主制御スイッチで、前記の現有のスイッチ回路の切り換え時、前記主制御スイッチは、自動的に、暫時オフにし、その後、残りの制御可能スイッチは、一連の連続したショートパルスにより制御されて、第二スイッチ順序のオンから、最後のスイッチ順序のオフになり、更に、最後のスイッチから、第二スイッチになり、最後に、前記主制御スイッチがオンになり、切り換えの目的が達成される
ことを特徴とする回路。